【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
コンピュータ（１００）と通信ネットワーク（１２０）との間のアクセスを自動的に制御する方法であって、
前記コンピュータと、前記コンピュータとの通信に適応する少なくとも１つの入出力装置との間の信号アクティビティを監視することによって、ユーザ・アクティビティを監視し、前記コンピュータと前記通信ネットワークとの間の信号アクティビティの検出がユーザ・アクティビティの表示であるステップ（２００）を含み、前記方法が、
前記コンピュータと前記通信ネットワークとの間の信号アクティビティを監視することによって、ネット関連ユーザ・アクティビティを監視し、前記コンピュータと前記通信ネットワークとの間の信号アクティビティの検出がネット関連ユーザ・アクティビティの表示であるステップ（２１０）と、
ユーザ・アクティビティとネット関連ユーザ・アクティビティの双方が検出された場合、前記コンピュータから前記通信ネットワークへのアクセスと前記通信ネットワークから前記コンピュータへのアクセス、またはそのいずれかを許容するステップ（２１５）と、
を含み、
前記コンピュータから前記通信ネットワークへの希望しない通信と、前記通信ネットワークから前記コンピュータへの希望しない通信、またはそのいずれかを防止するようになっていることを特徴とする方法。
【請求項２】
請求項１に記載の方法において、
前記コンピュータと前記通信ネットワークとの間のアクセスを禁止する第１の監視モード（２００）と、
前記コンピュータと前記通信ネットワークとの間のアクセスを許可する第２の監視モード（２２０）と、
を更に含み、前記第１の監視モードは、
−ユーザ・アクティビティを監視するステップ（２０５）と、
−ユーザ・アクティビティが検出されていない場合、ネット関連ユーザ・アクティビティを監視するステップと、
ユーザ・アクティビティとネット関連ユーザ・アクティビティの双方が検出されている場合、前記第１の監視モードから前記第２の監視モードに変わるステップと、
を含む前記方法。
【請求項３】
請求項２に記載の方法において、前記モードの変更は手動で開始される前記方法。
【請求項４】
請求項１から請求項３のいずれかに記載の方法において、前記入出力装置は、装置、すなわち、キーボード（１０５）、スクリーン（１１２）、マウス（１１０）、カメラ（１１４）、マイクロフォン（１１１）、ジョイスティック、スキャナまたは安全なログイン装置（１１５）の少なくとも１つを含む前記方法。
【請求項５】
請求項１から請求項４のいずれかに記載の方法において、前記入出力装置は、主入出力装置として定義される少なくとも１つの入出力装置と、２次入出力装置として定義される少なくとも１つの入出力装置とを含み、更にユーザ・アクティビティは、前記コンピュータと前記少なくとも１つの主入出力装置との間の信号アクティビティとして定義される前記方法。
【請求項６】
請求項２から請求項５のいずれに記載の方法において、前記第２の監視モードにおいてとられる、
ネット関連ユーザ・アクティビティを監視するステップ（２２５）と、
所定の時間（ｔw）内にネット関連ユーザ・アクティビティが検出されない場合、前記第１の監視モードに変わって、前記コンピュータと前記通信ネットワークとの間のアクセスを許可しないステップ（２３０〜２３５）と、
を更に含む前記方法。
【請求項７】
請求項２から請求項６のいずれかに記載の方法において、ユーザによってアクティブにされ、かつ非アクティブにされるとともに、アクティブにされると前記コンピュータと前記通信ネットワークとの間のアクセスが許可されないことを意味し、非アクティブにされると前記コンピュータと前記通信ネットワークとの間のアクセスが許可されることを意味する、プライベート・セキュリティ・モード（ＰＳＭ）を更に含み、前記方法が、前記第１の監視モードにおいてとられる、
前記ＰＳＭがアクティブにされているか否かを決定するステップ（２０２）と、
ユーザ・アクティビティとネット関連ユーザ・アクティビティの双方が検出され、かつＰＳＭがアクティブにされていない場合、前記コンピュータと前記通信ネットワークとの間のアクセスを許可するステップ（２１５）と、
を更に含み、前記方法が、前記第２の監視モードにおいてとられる、
前記ＰＳＭがアクティブにされているか否かを決定するステップ（２２２）と、
ＰＳＭがアクティブにされている場合、前記第１の監視モードに変わって、前記コンピュータと前記通信ネットワークとの間のアクセスが許可しないステップと、
を更に含む前記方法。
【請求項８】
請求項２から請求項７のいずれかに記載の方法において、自動的にアクティブにされるとともに、アクティブにされると、前記コンピュータと前記通信ネットワークとの間のアクセスが許可されないことを意味する検疫モード（ＱＭ）を更に含み、前記方法が、前記第１の監視モードにおいてとられる、
前記ＱＭがアクティブにされているか否かを決定するステップ（２０２）と、
ユーザ・アクティビティとネット関連ユーザ・アクティビティの双方が検出され、かつＱＭがアクティブにされていない場合、前記コンピュータと前記通信ネットワークとの間のアクセスを許可するステップと、
を更に含み、前記方法が、前記第２の監視モードにおいてとられる、
前記ＱＭがアクティブにされているか否かを決定するステップ（２２２）と、
ＱＭがアクティブにされている場合、前記第１の監視モードに変わって、前記コンピュータと前記通信ネットワークとの間のアクセスが許可しないステップと、
を更に含む前記方法。
【請求項９】
請求項１から請求項７のいずれかに記載の方法において、自動的にアクティブにされるとともに、アクティブにされると、前記コンピュータと前記通信ネットワークとの間のアクセスが許可されないことを意味する検疫モード（ＱＭ）と、ユーザによってアクティブにされ、かつ非アクティブにされるとともに、アクティブにされると、前記コンピュータと前記通信ネットワークとの間のアクセスが許可されないことを意味し、非アクティブにされると、前記コンピュータと前記通信ネットワークとの間のアクセスが許可されることを意味するプライベート・セキュリティ・モード（ＰＳＭ）、またはそのいずれかを更に含み、前記方法が、前記第１の監視モードにおいてとられる、
前記ＰＳＭまたは前記ＱＭのいずれかがアクティブにされているか否かを決定するステップ（２０２）と、
ユーザ・アクティビティを監視するステップ（２０５）と、
ユーザ・アクティビティが検出されず、かつＰＳＭまたはＱＭがアクティブにされていない場合、ネットワーク・アクティビティを監視するステップ（４００）と、
を含み、
ネットワーク・アクティビティが検出される場合、
ＱＭをアクティブにするステップ（４０５）と、
前記検出されたネットワーク・アクティビティをログするステップ（４１０）と、
を実行する前記方法。
【請求項１０】
通信ネットワーク（１２０）に接続されたコンピュータ（１００）のセキュリティを強化する通信ネット・アクセス・コントローラ（１３５）であって、
少なくとも１つの入出力装置に接続されるように構成されるとともに、前記コンピュータと前記入出力装置との間の信号アクティビティを監視するように構成されるユーザ・アクティビティを検出する手段（１６０、１６１）と、
前記コンピュータと前記通信ネットワーク（１２０）との間に接続されるように構成されるとともに、前記コンピュータと前記通信ネットワーク（１２０）との間の信号アクティビティを監視するように構成されるネット関連ユーザ・アクティビティを検出する手段（１６２、１６４）と、
前記コンピュータと前記通信ネットワークとの間のアクセスを制御する手段（１６５）であって、ユーザ・アクティビティを検出する手段（１６０、１６１）および前記ネット関連ユーザ・アクティビティを検出する手段（１６２、１６４）と対話するように構成され、前記ユーザ・アクティビティを検出する手段（１６０、１６１）および前記ネット関連ユーザ・アクティビティを検出する手段（１６２、１６４）が、ユーザ・アクティビティとネット関連ユーザ・アクティビティをそれぞれ検出した場合、前記コンピュータから前記通信ネットワークへのアクセスと前記通信ネットワークから前記コンピュータへのアクセス、またはそのいずれかを許可するように構成される前記アクセスを制御する手段と、
を特徴とする通信ネット・アクセス・コントローラ。
【請求項１１】
請求項１０に記載のネット・アクセス・コントローラにおいて、前記アクセス制御手段（１６５）に接続され、前記通信ネットワークから前記コンピュータを切り離すように構成されているスイッチ手段（１７５）を更に含む前記ネット・アクセス・コントローラ。
【請求項１２】
請求項１１に記載のネット・アクセス・コントローラにおいて、ユーザ・アクティビティが検出された後、所定の時間前記スイッチ手段をアクティブにする手段を更に含む前記ネット・アクセス・コントローラ。
【請求項１３】
請求項１０に記載のネット・アクセス・コントローラにおいて、前記制御手段に接続され、前記通信ネットワークから前記コンピュータをブロックするように構成されている電力削減手段を更に含む前記ネット・アクセス・コントローラ。
【請求項１４】
請求項１３に記載のネット・アクセス・コントローラにおいて、ユーザ・アクティビティが検出された後、所定の時間前記電力削減手段をアクティブにする手段を更に含む前記ネット・アクセス・コントローラ。
【請求項１５】
請求項１０から請求項１４のいずれかに記載のネット・アクセス・コントローラにおいて、前記入出力装置は、装置、すなわちキーボード（１０５）、スクリーン（１１２）、マウス（１１０）、カメラ（１１４）、マイクロフォン（１１１）、ジョイスティック、スキャナまたは安全なログイン装置（１１５）の少なくとも１つを含む前記ネット・アクセス・コントローラ。
【請求項１６】
請求項１０から請求項１５のいずれかに記載のネット・アクセス・コントローラにおいて、前記コンピュータから前記通信ネットワークにアクセスする計画のログを発生・格納する手段（１６６）を更に含む前記ネット・アクセス・コントローラ。
【請求項１７】
請求項１０から請求項１６のいずれかに記載のネット・アクセス・コントローラにおいて、前記通信ネットワークから前記コンピュータにアクセスする計画のログを発生・格納する手段（１６６）を更に含む前記ネット・アクセス・コントローラ。
【請求項１８】
請求項１０から請求項１７のいずれかに記載のネット・アクセス・コントローラにおいて、前記通信ネットワークとは異なる第２の通信ネットワークを介して通信するための通信モジュール（１８５）を更に含む
前記ネット・アクセス・コントローラ。
【請求項１９】
請求項１８に記載のネット・アクセス・コントローラにおいて、前記第２の通信ネットワークは、無線電話システムである前記ネット・アクセス・コントローラ。
【請求項２０】
請求項１０から請求項１９のいずれかに従って、コンピュータ（１００）と、ネット・アクセス・コントローラ（１３５）との通信に適応する少なくとも１つの入出力装置とを含むシステムにおいて、請求項１から請求項９のいずれかに従う前記方法の前記ステップを実行するようになっているシステム。